(57)【要約】【課題】  音声の出力先の切替に関し簡易な構成により使い勝手の向上を図る。【解決手段】  外部スピーカーに接続された接続プラグが装着可能とされたコネクターとコネクターを介して入力される音声信号に基づいて音声を出力する内部スピーカーとが設けられた電子機器を備え、コネクターに開閉スイッチが設けられ、接続プラグのコネクターへの装着の有無に応じて開閉スイッチが開閉され外部スピーカーからの音声出力と内部スピーカーからの音声出力との切替が行われ、接続プラグのコネクターに対する装着の有無が検出され当該検出結果に基づいて外部スピーカーに応じた音声特性の設定と内部スピーカーに応じた音声特性の設定との切替が行われるようにした。【選択図】        図１２
2013172176.tif 000002
【特許請求の範囲】
【請求項１】
外部スピーカーに接続された接続プラグが装着可能とされたコネクターと前記コネクターを介して入力される音声信号に基づいて音声を出力する内部スピーカーとが設けられた電子機器を備え、
前記コネクターに開閉スイッチが設けられ、
前記接続プラグの前記コネクターへの装着の有無に応じて前記開閉スイッチが開閉され前記外部スピーカーからの音声出力と前記内部スピーカーからの音声出力との切替が行われ、
前記接続プラグの前記コネクターに対する装着の有無が検出され当該検出結果に基づいて前記外部スピーカーに応じた音声特性の設定と前記内部スピーカーに応じた音声特性の設定との切替が行われるようにした
スピーカーシステム。
【請求項２】
前記接続プラグが前記コネクターに装着されていない状態において前記開閉スイッチが閉塞され前記コネクターを介して前記内部スピーカーとアンプが接続されて前記内部スピーカーからの音声の出力が可能とされ、
前記接続プラグが前記コネクターに装着されたときに前記開閉スイッチが開放されて前記内部スピーカーと前記アンプの接続が解除されると共に前記接続プラグ及び前記コネクターを介して前記外部スピーカーと前記アンプが接続されて前記外部スピーカーからの音声の出力が可能とされた
請求項１に記載のスピーカーシステム。
【請求項３】
前記コネクターに、前記アンプに接続されると共に前記開閉スイッチを介して前記内部スピーカーに接続された接続端子が設けられ、
前記接続プラグが前記コネクターに装着されたときに、前記開閉スイッチと前記接続端子の接続が解除され、前記開閉スイッチと前記接続端子の接続が解除された状態において前記接続プラグの端子部が前記接続端子に接続されるようにした
請求項２に記載のスピーカーシステム。
【請求項４】
前記接続プラグに非導電性材料によって形成され前記端子部を保持するハウジングが設けられ、
前記ハウジングによって前記開閉スイッチと前記接続端子の接続が解除されるようにした
請求項３に記載のスピーカーシステム。
【請求項５】
前記コネクターに前記電子機器のパネルにネジ止めによって取り付けられる被取付部が設けられた
請求項１に記載のスピーカーシステム。
【請求項６】
電子機器の内部に配置された内部スピーカーに接続され外部スピーカーに接続された接続プラグが装着可能とされると共に開閉スイッチが設けられ、
前記接続プラグの装着の有無に応じて前記開閉スイッチが開閉され前記外部スピーカーからの音声出力と前記内部スピーカーからの音声出力との切替が行われ、
前記接続プラグの装着の有無が検出され当該検出結果に基づいて前記外部スピーカーに応じた音声特性の設定と前記内部スピーカーに応じた音声特性の設定との切替が行われるようにした
コネクター。
【発明の詳細な説明】
【技術分野】
【０００１】
本技術はスピーカーシステム及びコネクターについての技術分野に関する。詳しくは、コネクターに対する接続プラグの装着状態に応じて内部スピーカーと外部スピーカーの音声出力と音声特性の切替を行って簡易な構成により使い勝手の向上を図る技術分野に関する。
【背景技術】
【０００２】
電子機器、例えば、テレビジョン等の画像表示装置には内部スピーカーが設けられており、内部スピーカーからの音声の出力が可能とされている。
【０００３】
このような内部スピーカーを有する電子機器においては、電子機器に設けられたコネクターに外部スピーカーに接続された接続プラグを装着することにより外部スピーカーからの音声の出力が可能とされたものがある。
【０００４】
上記のような内部スピーカーと外部スピーカーを備えた従来のスピーカーシステムとして、検出回路とスイッチング回路を有しているものがある（例えば、特許文献１参照）。特許文献１に記載されたスピーカーシステムにあっては、外部スピーカーが接続されたことが検出回路によって検出され、検出回路による検出信号に基づいてスイッチング回路が制御され、内部スピーカーから外部スピーカーへの音声の出力が切り替えられる。
【０００５】
【特許文献１】特開平１０−６６１８８号公報
【発明の開示】
【発明が解決しようとする課題】
【０００６】
ところが、特許文献１に記載されたスピーカーシステムにあっては、検出回路とスイッチング回路を設け、トランジスタによって音声の出力先を切り替えるようにしており、構成が複雑であり、その分、製造コストも高いと言う問題がある。
【０００７】
一方、従来のスピーカーシステムには電子機器に設けられた回路基板に内部スピーカー用のコネクターと外部スピーカー用のコネクターが配置され、外部スピーカーが外部スピーカー用のコネクターに接続されたときに音声の出力先が内部スピーカーから外部スピーカーに切り替えられるようにされたものもある。
【０００８】
しかしながら、このようなスピーカーシステムにあっては、２種類のコネクターが必要であり、やはり、構成が複雑になってしまう。
【０００９】
また、内部スピーカーと外部スピーカーにおいては音声特性、即ち、音質や周波数特性等が両者の間で異なるが、従来のスピーカーシステムにおいては、内部スピーカーから音声が出力されるときの音声特性と外部スピーカーから音声が出力されるときの音声特性との設定の切替が使用者の切替操作によって行われるようにされている。
【００１０】
従って、使用者は音声の出力先の切替を行う度に切替操作を行う必要があり、使い勝手が悪いという不具合もある。
【００１１】
そこで、本技術スピーカーシステム及びコネクターは、上記した問題点を克服し、音声の出力先の切替に関し簡易な構成により使い勝手の向上を図ることを課題とする。
【課題を解決するための手段】
【００１２】
第１に、スピーカーシステムは、上記した課題を解決するために、外部スピーカーに接続された接続プラグが装着可能とされたコネクターと前記コネクターを介して入力される音声信号に基づいて音声を出力する内部スピーカーとが設けられた電子機器を備え、前記コネクターに開閉スイッチが設けられ、前記接続プラグの前記コネクターへの装着の有無に応じて前記開閉スイッチが開閉され前記外部スピーカーからの音声出力と前記内部スピーカーからの音声出力との切替が行われ、前記接続プラグの前記コネクターに対する装着の有無が検出され当該検出結果に基づいて前記外部スピーカーに応じた音声特性の設定と前記内部スピーカーに応じた音声特性の設定との切替が行われるようにしたものである。
【００１３】
従って、スピーカーシステムにあっては、接続プラグのコネクターへの装着の有無に応じて音声の出力先及び音声特性の設定が切り替えられる。
【００１４】
第２に、前記接続プラグが前記コネクターに装着されていない状態において前記開閉スイッチが閉塞され前記コネクターを介して前記内部スピーカーとアンプが接続されて前記内部スピーカーからの音声の出力が可能とされ、前記接続プラグが前記コネクターに装着された状態において前記開閉スイッチが開放されて前記内部スピーカーと前記アンプの接続が解除されると共に前記接続プラグ及び前記コネクターを介して前記外部スピーカーと前記アンプが接続されて前記外部スピーカーからの音声の出力が可能とされることが望ましい。
【００１５】
接続プラグがコネクターに装着された状態において開閉スイッチが開放されて内部スピーカーとアンプの接続が解除されると共に接続プラグ及びコネクターを介して外部スピーカーとアンプが接続されて外部スピーカーからの音声の出力が可能とされることにより、接続プラグのコネクターへの装着動作により内部スピーカーとアンプの接続の解除及び外部スピーカーとアンプの接続が行われる。
【００１６】
第３に、前記コネクターに、前記アンプに接続されると共に前記開閉スイッチを介して前記内部スピーカーに接続された接続端子が設けられ、前記接続プラグが前記コネクターに装着されたときに、前記開閉スイッチと前記接続端子の接続が解除され、前記開閉スイッチと前記接続端子の接続が解除された状態において前記接続プラグの端子部が前記接続端子に接続されることが望ましい。
【００１７】
接続プラグがコネクターに装着されたときに、開閉スイッチと接続端子の接続が解除され、開閉スイッチと接続端子の接続が解除された状態において接続プラグの端子部が接続端子に接続されることにより、アンプが内部スピーカーと外部スピーカーの両方に同時に接続されない。
【００１８】
第４に、前記接続プラグに非導電性材料によって形成され前記端子部を保持するハウジングが設けられ、前記ハウジングによって前記開閉スイッチと前記接続端子の接続が解除されることが望ましい。
【００１９】
接続プラグに非導電性材料によって形成され端子部を保持するハウジングが設けられ、ハウジングによって開閉スイッチと接続端子の接続が解除されることにより、非導電性材料によって形成されたハウジングが開閉スイッチと接続端子に接する。
【００２０】
第５に、前記コネクターに前記電子機器のパネルにネジ止めによって取り付けられる被取付部が設けられることが望ましい。
【００２１】
コネクターに電子機器のパネルにネジ止めによって取り付けられる被取付部が設けられることにより、コネクターがネジ止めによってパネルに取り付けられる。
【００２２】
コネクターは、上記した課題を解決するために、電子機器の内部に配置された内部スピーカーに接続され外部スピーカーに接続された接続プラグが装着可能とされると共に開閉スイッチが設けられ、前記接続プラグの装着の有無に応じて前記開閉スイッチが開閉され前記外部スピーカーからの音声出力と前記内部スピーカーからの音声出力との切替が行われ、前記接続プラグの装着の有無が検出され当該検出結果に基づいて前記外部スピーカーに応じた音声特性の設定と前記内部スピーカーに応じた音声特性の設定との切替が行われるようにしたものである。
【００２３】
従って、コネクターにあっては、接続プラグのコネクターへの装着の有無に応じて音声の出力先及び音声特性の設定が切り替えられる。
【発明の効果】
【００２４】
本技術スピーカーシステムは、外部スピーカーに接続された接続プラグが装着可能とされたコネクターと前記コネクターを介して入力される音声信号に基づいて音声を出力する内部スピーカーとが設けられた電子機器を備え、前記コネクターに開閉スイッチが設けられ、前記接続プラグの前記コネクターへの装着の有無に応じて前記開閉スイッチが開閉され前記外部スピーカーからの音声出力と前記内部スピーカーからの音声出力との切替が行われ、前記接続プラグの前記コネクターに対する装着の有無が検出され当該検出結果に基づいて前記外部スピーカーに応じた音声特性の設定と前記内部スピーカーに応じた音声特性の設定との切替が行われるようにしている。
【００２５】
従って、簡易な構成により音声の出力先が切り替えられると共に使用者が切替操作を行うことなく接続プラグのコネクターへの装着状態に応じて内部スピーカーの音声特性と外部スピーカーの音声特性との設定の切替が行われるため、音声の出力先の切替に関し簡易な構成により使い勝手の向上を図ることができる。
【００２６】
請求項２に記載した技術にあっては、前記接続プラグが前記コネクターに装着されていない状態において前記開閉スイッチが閉塞され前記コネクターを介して前記内部スピーカーとアンプが接続されて前記内部スピーカーからの音声の出力が可能とされ、前記接続プラグが前記コネクターに装着されたときに前記開閉スイッチが開放されて前記内部スピーカーと前記アンプの接続が解除されると共に前記接続プラグ及び前記コネクターを介して前記外部スピーカーと前記アンプが接続されて前記外部スピーカーからの音声の出力が可能とされている。
【００２７】
従って、内部スピーカーとアンプの接続の解除動作及び外部スピーカーとアンプの接続動作を簡素な構造によって容易かつ確実に行うことができる。
【００２８】
請求項３に記載した技術にあっては、前記コネクターに、前記アンプに接続されると共に前記開閉スイッチを介して前記内部スピーカーに接続された接続端子が設けられ、前記接続プラグが前記コネクターに装着されたときに、前記開閉スイッチと前記接続端子の接続が解除され、前記開閉スイッチと前記接続端子の接続が解除された状態において前記接続プラグの端子部が前記接続端子に接続されるようにしている。
【００２９】
従って、アンプが内部スピーカーと外部スピーカーの両方に同時に接続されることがなく、アンプの負荷の軽減を図ることができる。
【００３０】
請求項４に記載した技術にあっては、前記接続プラグに非導電性材料によって形成され前記端子部を保持するハウジングが設けられ、前記ハウジングによって前記開閉スイッチと前記接続端子の接続が解除されるようにしている。
【００３１】
従って、開閉スイッチと接続端子の接続を確実に解除することができると共に短絡を生じずスピーカーシステムの動作の信頼性の向上を図ることができる。
【００３２】
請求項５に記載した技術にあっては、前記コネクターに前記電子機器のパネルにネジ止めによって取り付けられる被取付部が設けられている。
【００３３】
従って、コネクターをパネルに容易に取り付けることができると共にパネルに対するコネクターのガタツキが防止されて接続プラグのコネクターに対する装着状態の安定化を図ることができる。
【００３４】
本技術コネクターは、電子機器の内部に配置された内部スピーカーに接続され外部スピーカーに接続された接続プラグが装着可能とされると共に開閉スイッチが設けられ、前記接続プラグの装着の有無に応じて前記開閉スイッチが開閉され前記外部スピーカーからの音声出力と前記内部スピーカーからの音声出力との切替が行われ、前記接続プラグの装着の有無が検出され当該検出結果に基づいて前記外部スピーカーに応じた音声特性の設定と前記内部スピーカーに応じた音声特性の設定との切替が行われるようにしている。
【００３５】
従って、簡易な構成により音声の出力先が切り替えられると共に使用者が切替操作を行うことなく接続プラグのコネクターへの装着状態に応じて内部スピーカーの音声特性と外部スピーカーの音声特性との設定の切替が行われるため、音声の出力先の切替に関し簡易な構成により使い勝手の向上を図ることができる。
【発明を実施するための最良の形態】
【００３６】
以下に、本技術スピーカーシステム及びコネクターを実施するための最良の形態を添付図面に従って説明する。
【００３７】
以下に示した最良の形態は、本技術スピーカーシステムを電子機器としてテレビジョンが用いられたスピーカーシステムに適用し、本技術コネクターをこのテレビジョンを有するスピーカーシステムに設けられたコネクターに適用したものである。
【００３８】
尚、本技術の適用範囲はテレビジョンが用いられたスピーカーシステム及びテレビジョンを有するスピーカーシステムに設けられたコネクターに限られることはない。本技術スピーカーシステムはテレビジョン以外の内部スピーカーを有する各種の電子機器が用いられたスピーカーシステムに広く適用することができ、本技術コネクターはこれらの各種の電子機器が用いられたスピーカーシステムに設けられたコネクターに広く適用することができる。
【００３９】
以下の説明にあっては、テレビジョン（電子機器）が床等に載置された状態における方向で前後上下左右の方向を示すものとする。
【００４０】
尚、以下に示す前後上下左右の方向は説明の便宜上のものであり、本技術の実施に関しては、これらの方向に限定されることはない。
【００４１】
［スピーカーシステムの概略構成］
先ず、スピーカーシステム１の概略構成について説明する（図１乃至図３参照）。
【００４２】
スピーカーシステム１は電子機器（テレビジョン）２を有し電子機器２はスタンドスピーカー３に保持されている。
【００４３】
電子機器２は筐体４に所要の各部が配置されて成り、筐体４は枠状のフレーム５とフレーム５に取り付けられた背面側に位置するパネル６とを有している。電子機器２にはフレーム５に保持されたディスプレイ７と内部に配置された回路基板８とが設けられている。
【００４４】
パネル６にはコネクター配置孔６ａとコネクター配置孔６ａの近傍に位置するネジ挿通孔６ｂとが形成されている。
【００４５】
電子機器２の内部にはアシストスピーカー９と内部スピーカー１０、１０が配置されている（図３参照）。アシストスピーカー９は内部スピーカー１０、１０を補助するスピーカーであり、内部スピーカー１０、１０は、例えば、下方を向き電子機器２の下端部に左右に離隔して配置されている。
【００４６】
回路基板８の背面にはコネクター１１が接合されている（図２及び図３参照）。回路基板８には音声に関する制御処理部として機能するＤＳＰ（Digital Signal Processor）８ａとアンプ（アンプＩＣ：Integrated Circuit）８ｂ、８ｃ、８ｄを有している。
【００４７】
アンプ８ｂはアシストスピーカー９に接続されアシストスピーカー９に対して増幅した音声信号を出力し、アンプ８ｃ、８ｄはコネクター１１を介してそれぞれ内部スピーカー１０、１０に接続され内部スピーカー１０、１０に増幅した音声信号を出力する。また、アンプ８ｃ、８ｄはスタンドスピーカー３の後述する外部スピーカーに対しても増幅した音声信号を出力する。
【００４８】
スタンドスピーカー３はスタンド部１２とスタンド部１２に取り付けられたスピーカー部１３とを有している。
【００４９】
スタンド部１２は上下に延び、上端部が電子機器２のパネル６に取り付けられ電子機器２を保持する。
【００５０】
スピーカー部１３には前方を向く外部スピーカー１４、１４が左右に離隔して配置されている。スピーカー部１３からはケーブル１５が導出され、ケーブル１５の一端部に接続プラグ１６が接続され、ケーブル１５の他端部に外部スピーカー１４、１４が接続されている。
【００５１】
［コネクターの構造等］
次に、電子機器２の回路基板８に接合されたコネクター１１の構造等について説明する（図４乃至図９参照）。
【００５２】
コネクター１１は樹脂材料によって形成されたボデイ１７と導電性金属材料によって形成された第１の接続端子１８、１８と導電性金属材料によって形成された第２の接続端子１９、１９と導電性金属材料によって形成された検出用接続端子２０、２０と第１の接続端子１８、１８をそれぞれ開閉する開閉スイッチ２１、２１とを有している。
【００５３】
ボデイ１７は大部分を占める本体２２と本体２２から側方へ突出された被取付部２３とが一体に形成されて成る。本体２２には第１の接続端子１８、１８と第２の接続端子１９、１９と検出用接続端子２０、２０を外周側から覆う後方へ突出された覆い部２４が設けられている。
【００５４】
本体２２には後方に開口された第１の挿入凹部２２ａと上方に開口された第２の挿入凹部２２ｂと前方に開口された配置用凹部２２ｃとが形成されている。第１の挿入凹部２２ａは覆い部２４の外周側に存在し環状の空間として形成されている。
【００５５】
被取付部２３には前後に貫通されたネジ止め孔２３ａが形成されている。
【００５６】
第１の接続端子１８、１８と第２の接続端子１９、１９と検出用接続端子２０、２０は左右方向において一列に並んで設けられ、第１の接続端子１８、１８と第２の接続端子１９、１９は交互に配列されている。
【００５７】
第１の接続端子１８は、図６に示すように、ボデイ１７に埋め込まれたベース面部１８ａとベース面部１８ａから後方へ突出された二股状の外部スピーカー接続部１８ｂとベース面部１８ａから前方へ突出されたアンプ接続部１８ｃとから成る。外部スピーカー接続部１８ｂは覆い部２４の内側に位置され、アンプ接続部１８ｃは配置用凹部２２ｃに位置されている。
【００５８】
第２の接続端子１９は、図７に示すように、ボデイ１７に埋め込まれたベース面部１９ａとベース面部１９ａから後方へ突出された二股状の外部スピーカー接続部１９ｂとベース面部１９ａから前方へ突出されたアンプ接続部１９ｃとベース面部１９ａから上方へ突出された内部スピーカー接続部１９ｄとから成る。外部スピーカー接続部１９ｂは覆い部２４の内側に位置され、アンプ接続部１９ｃは配置用凹部２２ｃに位置され、内部スピーカー接続部１９ｄの先端部は第２の挿入用凹部２２ｂに位置されている。
【００５９】
検出用接続端子２０は、図８に示すように、ボデイ１７に埋め込まれたベース面部２０ａとベース面部２０ａから後方へ突出された二股状の外部スピーカー接続部２０ｂとベース面部２０ａから前方へ突出された検出用接続部２０ｃとを有している。外部スピーカー接続部２０ｂは覆い部２４の内側に位置され、検出用接続部２０ｃは配置用凹部２２ｃに位置されている。
【００６０】
開閉スイッチ２１、２１はそれぞれ第１の接続端子１８、１８の上側に位置されている（図６参照）。開閉スイッチ２１は弾性変形可能とされ外力が付与されていない状態において弾性により第１の接続端子１８に押し付けられて接続されている。開閉スイッチ２１の第１の接続端子１８に接続される側と反対側の端部は第２の挿入用凹部２２ｂに位置されている。
【００６１】
本体２２の左右両端部にはそれぞれ補強板２５、２５が前端部を除いて埋め込まれ、補強板２５、２５の前端部はボデイ１７から前方へ突出されている。
【００６２】
上記のように構成されたコネクター１１は第１の接続端子１８、１８のアンプ接続部１８ｃ、１８ｃと第２の接続端子１９、１９のアンプ接続部１９ｃ、１９ｃとが回路基板８のパターンに半田付けされてアンプ８ｃ、８ｄに接続される。このとき補強板２５、２５の各前端部が回路基板８に差し込まれて結合され、コネクター１１が安定した状態で回路基板８に接合される。
【００６３】
コネクター１１は本体２２が筐体４のパネル６に形成されたコネクター配置孔６ａに臨まされる位置に配置され、取付ネジ１００がパネル６のネジ挿通孔６ｂに挿通されて被取付部２３のネジ止め孔２３ａに螺合されてパネル６に取り付けられる（図９参照）。
【００６４】
［接続プラグの構造］
次に、スタンドスピーカー３の接続プラグ１６の構造について説明する（図１０及び図１１参照）。
【００６５】
接続プラグ１６は樹脂材料等の非導電性材料によって形成されたハウジング２６とハウジング２６に順に並んで保持された複数、例えば、６本の端子部２７、２７、・・・とから成る。
【００６６】
ハウジング２６は後側に位置されたブロック状の基体部２６ａと基体部２６ａの外周部から前方へ突出された挿入筒部２６ｂとから成る。
【００６７】
端子部２７、２７、・・・は、４本がアンプ８ｃ、８ｄに接続されるアンプ接続用とされ、２本が接続プラグ１６のコネクター１１への接続を検出するための検出用とされている。
【００６８】
［回路構成］
次に、スピーカーシステム１における回路構成について説明する（図１２参照）。
【００６９】
スピーカーシステム１にはラインＬ１、Ｌ２、Ｌ３、Ｌ４、Ｌ５、Ｌ６、Ｌ７、Ｌ８、Ｌ９、Ｌ１０が設けられている。
【００７０】
ラインＬ１、Ｌ２は一方の内部スピーカー１０とアンプ８ｃを接続し、ラインＬ３、Ｌ４は他方の内部スピーカー１０とアンプ８ｄを接続している。
【００７１】
ラインＬ１、Ｌ３にはそれぞれ開閉スイッチ２１、２１が接続されている。ラインＬ１、Ｌ２、Ｌ３、Ｌ４には内部スピーカー用コネクター２８が接続され、内部スピーカー用コネクター２８はコネクター１１の内部スピーカー接続部１９ｄ、１９ｄと開閉スイッチ２１、２１に接続される。また、ラインＬ１、Ｌ２、Ｌ３、Ｌ４にはそれぞれコネクター１１のアンプ接続部１８ｃ、１９ｃ、１８ｃ、１９ｃが接続されている。
【００７２】
ラインＬ５、Ｌ６、Ｌ７、Ｌ８はそれぞれラインＬ１、Ｌ２、Ｌ３、Ｌ４に接続されている。
【００７３】
ラインＬ５、Ｌ６は一方の外部スピーカー１４とラインＬ１、Ｌ２を接続し、ラインＬ７、Ｌ８は他方の外部スピーカー１４とラインＬ３、Ｌ４を接続している。
【００７４】
ラインＬ５、Ｌ６、Ｌ７、Ｌ８にはそれぞれ接続プラグ１６のアンプ接続用の端子部２７、２７、・・・とコネクター１１の外部スピーカー接続部１８ｂ、１９ｂ、１８ｂ、１９ｂとが接続されている。
【００７５】
ラインＬ９、Ｌ１０にはそれぞれ接続プラグ１６の検出用の端子部２７、２７とコネクター１１の検出用接続端子２０の外部スピーカー接続部２０ｂ、２０ｂ及び検出用接続部２０ｃ、２０ｃとが接続されている。
【００７６】
ラインＬ９は接地され、ラインＬ１０には抵抗Ｒ１を介して電源ＶＤＤが接続されている。また、ラインＬ９、Ｌ１０はスタンドスピーカー３のスピーカー部１３に設けられた抵抗Ｒ２に接続されている。
【００７７】
電源ＶＤＤはラインＬ１０を介して電子機器２に設けられたマイクロコンピューター２９に電源を入力する。マイクロコンピューター２９は電子機器２の全体の制御を司る機能を有し、マイクロコンピューター２９によってＤＳＰ８ａが制御されて音質の設定等の音声特性の切替が行われる。また、ＤＳＰ８ａに入力された音声信号はＤＳＰ８ａからアンプ８ｃ、８ｄに入力され、アンプ８ｃ、８ｄによって増幅されて内部スピーカー１０、１０又は外部スピーカー１４、１４に対して出力される。
【００７８】
尚、ＤＳＰ８ａに入力された音声信号はＤＳＰ８ａからアンプ８ｂにも入力され、アンプ８ｂによって増幅されてアシストスピーカー９に対して出力される。
【００７９】
スピーカーシステム１にあっては、接続プラグ１６がコネクター１１に装着されていない状態においては電源ＶＤＤの電圧が下降されずにマイクロコンピューター２９に入力され、接続プラグ１６がコネクター１１に装着された状態においては電源ＶＤＤの電圧が下降されてマイクロコンピューター２９に入力される。このときの下降された電圧は、接続プラグ１６がコネクター１１に装着されていない状態においてマイクロコンピューター２９に入力される電圧にＲ２／（Ｒ１＋Ｒ２）を乗じた値になる。
【００８０】
従って、入力される電圧の相違によってコネクター１１に接続プラグ１６が装着されているか否かがマイクロコンピューター２９において検出される。コネクター１１に接続プラグ１６が装着されたことが検出されると、内部スピーカー１０、１０に応じた音声特性から外部スピーカー１４、１４に応じた音声特性に設定が切り替えられる。逆に、接続プラグ１６のコネクター１１に対する装着が解除されると、コネクター１１に接続プラグ１６が装着されていないことが検出され、外部スピーカー１４、１４に応じた音声特性から内部スピーカー１０、１０に応じた音声特性に設定が切り替えられる。
【００８１】
内部スピーカー１０、１０に応じた音声特性は、例えば、図１３に示すように、ＤＳＰ８ａによるイコライザーの処理が行われる前の内部スピーカー１０、１０の特性（ａ）とＤＳＰ８ａによるイコライザーの処理が行われて音質が設定された特性（ｂ）とが複合されて生成された音声特性（ｃ）である。
【００８２】
また、外部スピーカー１４、１４に応じた音声特性は、例えば、図１４に示すように、ＤＳＰ８ａによるイコライザーの処理が行われる前の外部スピーカー１４、１４の特性（ｄ）とＤＳＰ８ａによるイコライザーの処理が行われて音質が設定された特性（ｅ）とが複合されて生成された音声特性（ｆ）である。
【００８３】
［接続プラグのコネクターへの装着動作等］
次に、接続プラグ１６がコネクター１１に装着されるときの動作等について説明する（図１５乃至図１８参照）。
【００８４】
接続プラグ１６がコネクター１１に装着される前の状態においては、コネクター１１の開閉スイッチ２１、２１が弾性によりそれぞれ第１の接続端子１８、１８に押し付けられて接続されている（図１５参照）。
【００８５】
接続プラグ１６がコネクター１１に装着されるときには、先ず、接続プラグ１６のハウジング２６における挿入筒部２６ｂがコネクター１１のボデイ１７に形成された第１の挿入凹部２２ａに後方から挿入されていく（図１６参照）。
【００８６】
挿入筒部２６ｂが第１の挿入凹部２２ａに挿入されていくと、挿入筒部２６ｂが開閉スイッチ２１、２１に摺動され、開閉スイッチ２１、２１がそれぞれ第１の接続端子１８、１８から離隔する方向へ弾性変形され、挿入筒部２６ｂは開閉スイッチ２１、２１と第１の接続端子１８、１８の間に挿入されていく（図１７参照）。従って、開閉スイッチ２１、２１が第１の接続端子１８、１８から離隔され、コネクター１１を介しての内部スピーカー１０、１０とアンプ８ｃ、８ｄの接続が解除される。
【００８７】
引き続き挿入筒部２６ｂが第１の挿入凹部２２ａに挿入されていくと、接続プラグ１６の端子部２７、２７、・・・がそれぞれコネクター１１の第１の接続端子１８、１８、第２の接続端子１９、１９及び検出用接続端子２０、２０に接続される（図１８参照）。従って、外部スピーカー１４、１４が接続プラグ１６及びコネクター１１を介してアンプ８ｃ、８ｄに接続されると共にマイクロコンピューター２９によって接続プラグ１６がコネクター１１に装着されたことが検出される。
【００８８】
接続プラグ１６のコネクター１１への装着の解除は、接続プラグ１６をコネクター１１から後方へ引き抜くことにより行われる。接続プラグ１６のコネクター１１への装着が解除されると、開閉スイッチ２１、２１がそれぞれ弾性復帰して第１の接続端子１８、１８に接続され、再び、コネクター１１を介して内部スピーカー１０、１０とアンプ８ｃ、８ｄが接続される。
【００８９】
［まとめ］
以上に記載した通り、スピーカーシステム１にあっては、接続プラグ１６のコネクター１１への装着の有無に応じて開閉スイッチ２１、２１が開閉され外部スピーカー１４、１４と内部スピーカー１０、１０の間で音声の出力先が切り替えられると共に接続プラグ１６のコネクター１１に対する装着の有無が検出され外部スピーカー１４、１４に応じた音声特性の設定と内部スピーカー１０、１０に応じた音声特性の設定との切替が行われる。
【００９０】
従って、簡易な構成により音声の出力先が切り替えられると共に使用者が切替操作を行うことなく接続プラグ１６のコネクター１１への装着状態に応じて内部スピーカー１０、１０の音声特性と外部スピーカー１４、１４の音声特性との設定の切替が行われるため、音声の出力先の切替に関し簡易な構成により使い勝手の向上を図ることができる。
【００９１】
また、接続プラグ１６がコネクター１１に装着されたときに開閉スイッチ２１、２１が開放されて内部スピーカー１０、１０とアンプ８ｃ、８ｄの接続が解除されると共に接続プラグ１６及びコネクター１１を介して外部スピーカー１４、１４とアンプ８ｃ、８ｄが接続されて外部スピーカー１４、１４からの音声の出力が行われる。
【００９２】
従って、内部スピーカー１０、１０とアンプ８ｃ、８ｄの接続の解除動作及び外部スピーカー１４、１４とアンプ８ｃ、８ｄの接続動作を簡素な構造によって容易かつ確実に行うことができる。
【００９３】
さらに、接続プラグ１６がコネクター１１に装着されたときに、開閉スイッチ２１、２１と第１の接続端子１８、１８の接続が解除された後に接続プラグ１６の端子部２７、２７、・・・が第１の接続端子１８、１８及び第２の接続端子１９、１９に接続される。
【００９４】
従って、アンプ８ｃ、８ｄが内部スピーカー１０、１０と外部スピーカー１４、１４の両方に同時に接続されることがなく、アンプ８ｃ、８ｄの負荷の軽減を図ることができる。
【００９５】
さらにまた、非導電性材料によって形成されたハウジング２６によって開閉スイッチ２１、２１と第１の接続端子１８、１８の接続が解除される。
【００９６】
従って、開閉スイッチ２１、２１と第１の接続端子１８、１８の接続を確実に解除することができると共に短絡を生じずスピーカーシステム１の動作の信頼性の向上を図ることができる。
【００９７】
加えて、コネクター１１にパネル６にネジ止めによって取り付けられる被取付部２３が設けられているため、コネクター１１をパネル６に容易に取り付けることができると共にパネル６に対するコネクター１１のガタツキが防止されて接続プラグ１６のコネクター１１に対する装着状態の安定化を図ることができる。
【００９８】
［本技術］
本技術は、以下のような構成にすることができる。
【００９９】
（１）外部スピーカーに接続された接続プラグが装着可能とされたコネクターと前記コネクターを介して入力される音声信号に基づいて音声を出力する内部スピーカーとが設けられた電子機器を備え、前記コネクターに開閉スイッチが設けられ、前記接続プラグの前記コネクターへの装着の有無に応じて前記開閉スイッチが開閉され前記外部スピーカーからの音声出力と前記内部スピーカーからの音声出力との切替が行われ、前記接続プラグの前記コネクターに対する装着の有無が検出され当該検出結果に基づいて前記外部スピーカーに応じた音声特性の設定と前記内部スピーカーに応じた音声特性の設定との切替が行われるようにしたスピーカーシステム。
【０１００】
（２）前記接続プラグが前記コネクターに装着されていない状態において前記開閉スイッチが閉塞され前記コネクターを介して前記内部スピーカーとアンプが接続されて前記内部スピーカーからの音声の出力が可能とされ、前記接続プラグが前記コネクターに装着されたときに前記開閉スイッチが開放されて前記内部スピーカーと前記アンプの接続が解除されると共に前記接続プラグ及び前記コネクターを介して前記外部スピーカーと前記アンプが接続されて前記外部スピーカーからの音声の出力が可能とされた前記（１）に記載のスピーカーシステム。
【０１０１】
（３）前記コネクターに、前記アンプに接続されると共に前記開閉スイッチを介して前記内部スピーカーに接続された接続端子が設けられ、前記接続プラグが前記コネクターに装着されたときに、前記開閉スイッチと前記接続端子の接続が解除され、前記開閉スイッチと前記接続端子の接続が解除された状態において前記接続プラグの端子部が前記接続端子に接続されるようにした前記（２）に記載のスピーカーシステム。
【０１０２】
（４）前記接続プラグに非導電性材料によって形成され前記端子部を保持するハウジングが設けられ、前記ハウジングによって前記開閉スイッチと前記接続端子の接続が解除されるようにした前記（３）に記載のスピーカーシステム。
【０１０３】
（５）前記コネクターに前記電子機器のパネルにネジ止めによって取り付けられる被取付部が設けられた前記（１）から前記（４）の何れかに記載のスピーカーシステム。
【０１０４】
（６）電子機器の内部に配置された内部スピーカーに接続され外部スピーカーに接続された接続プラグが装着可能とされると共に開閉スイッチが設けられ、前記接続プラグの装着の有無に応じて前記開閉スイッチが開閉され前記外部スピーカーからの音声出力と前記内部スピーカーからの音声出力との切替が行われ、前記接続プラグの装着の有無が検出され当該検出結果に基づいて前記外部スピーカーに応じた音声特性の設定と前記内部スピーカーに応じた音声特性の設定との切替が行われるようにしたコネクター。
【０１０５】
上記した技術の最良の形態において示した各部の具体的な形状及び構造は、何れも本技術を実施する際の具体化のほんの一例を示したものにすぎず、これらによって本技術の技術的範囲が限定的に解釈されることがあってはならないものである。
【図面の簡単な説明】
【０１０６】
【図１】図２乃至図１８と共に本技術スピーカーシステム及びコネクターを示すものであり、本図は、スピーカーシステムの概略正面図である。
【図２】スピーカーシステムの概略背面図である。
【図３】スピーカーシステムの概略構成図である。
【図４】コネクターの拡大斜視図である。
【図５】コネクターの拡大背面図である。
【図６】第１の接続端子が配置された部分を示すコネクターの拡大断面図である。
【図７】第２の接続端子が配置された部分を示すコネクターの拡大断面図である。
【図８】検出用接続端子が配置された部分を示すコネクターの拡大断面図である。
【図９】回路基板に接合されたコネクターがパネルにネジ止めによって取り付けられる状態を一部を断面にして示す拡大側面図である。
【図１０】接続プラグの拡大斜視図である。
【図１１】接続プラグの拡大断面図である。
【図１２】スピーカーシステムの回路構成を示すブロック図である。
【図１３】内部スピーカーの音声特性の一例を示す図である。
【図１４】外部スピーカーの音声特性の一例を示す図である。
【図１５】図１６乃至図１８と共に接続プラグがコネクターに装着されるときの動作を示すものであり、本図は、接続プラグがコネクターに装着される前の状態を示す拡大断面図である。
【図１６】接続プラグの挿入筒部がコネクターの第１の挿入凹部に挿入された状態を示す拡大断面図である。
【図１７】接続プラグの挿入筒部によって開閉スイッチが第１の接続端子から離隔された状態を示す拡大断面図である。
【図１８】接続プラグの端子部がコネクターの接続端子に接続された状態を示す拡大断面図である。
【符号の説明】
【０１０７】
１…スピーカーシステム、２…電子機器、８ｃ…アンプ、８ｄ…アンプ、１０…内部スピーカー、１１…コネクター、１４…外部スピーカー、１６…接続プラグ、１８…第１の接続端子、２１…開閉スイッチ、２３…被取付部、２６…ハウジング、２７…端子部
【図１】
2013172176.tif 000003
【図２】
2013172176.tif 000004
【図３】
2013172176.tif 000005
【図４】
2013172176.tif 000006
【図５】
2013172176.tif 000007
【図６】
2013172176.tif 000008
【図７】
2013172176.tif 000009
【図８】
2013172176.tif 000010
【図９】
2013172176.tif 000011
【図１０】
2013172176.tif 000012
【図１１】
2013172176.tif 000013
【図１２】
2013172176.tif 000014
【図１３】
2013172176.tif 000015
【図１４】
2013172176.tif 000016
【図１５】
2013172176.tif 000017
【図１６】
2013172176.tif 000018
【図１７】
2013172176.tif 000019
【図１８】
2013172176.tif 000020